(57)【要約】【課題】太陽電池モジュールの各種の大きさや配列等に対応でき、また、屋根面への太陽電池モジュールの取り付けに用いる部品点数をできる限り少なくできるような太陽電池モジュールの取付構造を提供すること。【解決手段】建物の陸屋根面への太陽電池モジュール１０の取付構造を次のようなものにする。陸屋根面上に屋根側固定金具２０が取り付けられ、屋根側固定金具２０に前側取付金具３０および後側取付金具４０がそれぞれ連結され、前側取付金具３０および後側取付金具４０に太陽電池モジュール１０が取り付けられている。【選択図】図１０
2006016790.tif 000002
【特許請求の範囲】
【請求項１】
太陽電池モジュールを、建物の屋根面に取り付ける太陽電池モジュールの取付構造であって、
前記屋根面上に屋根側固定金具が取り付けられ、
該屋根側固定金具に前側取付金具および後側取付金具がそれぞれ連結され、
該前側取付金具および後側取付金具に前記太陽電池モジュールが取り付けられていることを特徴とする太陽電池モジュールの取付構造。
【請求項２】
前記屋根側固定金具が所定の高さに形成され、該屋根側固定金具の上側の面に、前側取付金具および後側取付金具がそれぞれ連結されることを特徴とする請求項１に記載の太陽電池モジュールの取付構造。
【請求項３】
前記前側取付金具は、前記屋根側固定金具の上側の面に取り付けられる基部と、前記太陽電池モジュールの前側部分に取り付けられる傾斜部とを備え、該傾斜部は、前記基部に対して所定角度だけ傾けて形成されていることを特徴とする請求項２に記載の太陽電池モジュールの取付構造。
【請求項４】
前記後側取付金具は、前記屋根側固定金具の上側の面に取り付けられる基部と、前記太陽電池モジュールの後側部分に取り付けられる傾斜部とを備え、該傾斜部は、接続部を介して基部と接続され、該基部に対して所定角度だけ傾けて形成されていることを特徴とする請求項２または請求項３に記載の太陽電池モジュールの取付構造。
【請求項５】
前記屋根側固定金具の上側の面、前記前側取付金具の基部、および前記後側取付金具の基部には、前後方向に長い長孔がそれぞれ形成されており、これらの長孔を利用して、前記屋根側固定金具と前側取付金具との取り付け、および前記屋根側固定金具と後側取付金具との取り付けが行われることを特徴とする請求項４に記載の太陽電池モジュールの取付構造。
【請求項６】
前記屋根側固定金具は、屋根面に取り付けられる支持部材に固定されることを特徴とする請求項１ないし請求項５のいずれかに記載の太陽電池モジュールの取付構造。
【請求項７】
前記支持部材をアンカーボルトとしたことを特徴とする請求項６に記載の太陽電池モジュールの取付構造。
【請求項８】
前記前側取付金具と、前記屋根側固定金具とが一体的に形成されていることを特徴とする請求項１ないし請求項７のいずれかに記載の太陽電池モジュールの取付構造。
【請求項９】
前記後側取付金具と、前記屋根側固定金具とが一体的に形成されていることを特徴とする請求項１ないし請求項８のいずれかに記載の太陽電池モジュールの取付構造。
【請求項１０】
前後に隣り合う太陽電池モジュールそれぞれの前記屋根側固定金具同士が連結金具により連結されていることを特徴とする請求項１ないし請求項９のいずれかに記載の太陽電池モジュールの取付構造。
【請求項１１】
前記連結金具は、前側の太陽電池モジュール用の後側取付金具を取り付けている屋根側固定金具と、後側の太陽電池モジュール用の前側取付金具を取り付けている屋根側固定金具とを連結することを特徴とする請求項１０に記載の太陽電池モジュールの取付構造。
【請求項１２】
前記連結金具には、複数の太陽電池モジュールを電気的に接続するためのケーブルが固定されることを特徴とする請求項１１に記載の太陽電池モジュールの取付構造。
【発明の詳細な説明】
【技術分野】
【０００１】
本発明は、太陽電池モジュールを、建物の屋根面に取り付ける太陽電池モジュールの取付構造に関する。
【背景技術】
【０００２】
クリーンエネルギーを利用する手段の一つとして、建物等の屋根面に太陽電池モジュールを設置して、太陽の光エネルギーを電気エネルギーに変換する住宅用太陽光発電システムが普及してきている。
【０００３】
建物等の屋根面に設置される太陽電池モジュールは、光エネルギーを電気エネルギーに変換するためのモジュール本体、このモジュール本体を保持するモジュールフレーム等で構成されている。モジュール本体は、例えばスーパーストレート構造として形成され、単結晶または多結晶太陽電池セルが、ガラスと耐候性フィルムとの間に樹脂を介してサンドウィッチ状に封止されて形成されている。モジュールフレームは、前後の前側フレームと後側フレーム、左右の左側フレームと右側フレームで形成されている。このようなモジュールフレームによりモジュール本体の周縁部を囲って、モジュール本体を保持するようにしている。
【０００４】
このような太陽電池モジュールを建物の屋根面に取り付ける太陽電池モジュールの取付構造には、従来、次のようなものがある。
【０００５】
例えば、太陽電池モジュールを建物の屋根面に取り付けるためのアンカーボルトの本数を少なくするようにした太陽電池モジュールの取付構造が知られている。具体的には、アンカーボルトに対してレール固定金具を用意し、このレール固定金具に対しレール状部品（例えば、縦桟等）を取り付ける。さらに、レール状部品に対して太陽電池モジュール取付部品を取り付け、この太陽電池モジュール取付部品に対し太陽電池モジュールを取り付けるものが知られている。この太陽電池モジュールの取付構造では、レール固定金具、縦桟等のレール状部品、太陽電池取付金具が必要となる。
【０００６】
また、上述の太陽電池取付金具の数量を減らすようにした太陽電池モジュールの取付構造が知られている。具体的には、レール状部品（例えば、縦桟等）に対してある一定間隔毎に太陽電池取付金具を用意する。その上で、太陽電池モジュールを取り付けるための太陽電池モジュール取付部品（例えば、横桟等）を別に用意して、太陽電池取付金具に取り付けている。この太陽電池モジュールの取付構造では、レール固定金具、縦桟等のレール状部品、太陽電池取付金具、横桟等の太陽電池モジュール取付部品が必要となる。
【０００７】
なお、取り付けが容易で、建物プランへの対応性が良好な太陽電池モジュールの取付構造として、タイトフレームを利用することにより、折半屋根に孔を開けずに太陽電池モジュールを取り付ける太陽電池モジュールの取付構造が提案されている（例えば、特許文献１参照）。具体的には、折半屋根部材下面側の妻側フレーム上に固着された少なくとも一対のタイトフレーム間に、折半屋根部材上方から跨って、折半屋根部材の流れ方向と略直交する方向に長手方向を延設する桁側架台フレーム部材を設け、桁側架台フレーム部材と略直交する方向に長手方向を延設する妻側架台フレームに太陽電池モジュール本体を装着することによって、太陽電池モジュール本体を折半屋根部材に取り付ける太陽電池モジュールの取付構造が示されている。また、折半屋根に固定用の孔を開けずに太陽電池モジュールを固定する太陽電池モジュールの取付構造として、支持フレームを介して、モジュール固定金具および屋根固定金具を用いて太陽電池モジュールを取り付ける太陽電池モジュールの取付構造が提案されている（例えば、特許文献２参照）。
【特許文献１】特開２００１−１２３５９６号公報
【特許文献２】特開平１１−１７２８６１号公報
【発明の開示】
【発明が解決しようとする課題】
【０００８】
しかしながら、従来の太陽電池モジュールの取付構造には、次のような問題点があった。
【０００９】
上述した縦桟等のレール状部品や、横桟等の太陽電池モジュール取付部品を利用した太陽電池モジュールの取付構造の場合には、屋根面に設置する太陽電池モジュールの大きさや配列が異なれば、太陽電池モジュールを屋根面に取り付けることができないという問題点がある。すなわち、縦桟等のレール状部品や、横桟等の太陽電池モジュール取付部品は、太陽電池モジュールの各種の大きさや配列等に対応できる共通した部品仕様とはなっておらず、太陽電池モジュールの配列等に応じて新規の部品を別途用意する必要がある。また、施工に統一性がなく、太陽電池モジュールの配列毎に部品の配置や部品の取り付けを行う必要がある。
【００１０】
上述したアンカーボルトの本数を少なくするようにした太陽電池モジュールの取付構造の場合にも、上述した太陽電池取付金具の数量を減らすようにした太陽電池モジュールの取付構造の場合にも、屋根面への太陽電池モジュールの取り付けに用いる部品点数が多くなり、その分、施工が複雑になるという問題点がある。また、破損した太陽電池モジュールを交換する場合に、破損した太陽電池モジュールのみを取り外すことは難しいという問題点がある。
【００１１】
本発明は、上述した従来技術の問題点を鑑みてなされたものであり、太陽電池モジュールの各種の大きさや配列等に対応でき、また、屋根面への太陽電池モジュールの取り付けに用いる部品点数をできる限り少なくできるような太陽電池モジュールの取付構造を提供することを目的とする。
【課題を解決するための手段】
【００１２】
本発明は、上述の課題を解決するための手段を以下のように構成している。すなわち、太陽電池モジュールを、建物の屋根面に取り付ける太陽電池モジュールの取付構造であって、前記屋根面上に屋根側固定金具が取り付けられ、該屋根側固定金具に前側取付金具および後側取付金具がそれぞれ連結され、該前側取付金具および後側取付金具に前記太陽電池モジュールが取り付けられていることを特徴とする。
【００１３】
このような太陽電池モジュールの取付構造によれば、屋根面に設置される太陽電池モジュールの大きさや配列に応じて、屋根側固定金具、前側取付金具、後側取付金具を必要数だけ用意することで、太陽電池モジュールの各種の大きさや配列に対応できる。つまり、屋根側固定金具、前側取付金具、後側取付金具を用いれば、屋根面に設置する太陽電池モジュールの大きさや配列が異なる場合であっても、太陽電池モジュールを屋根面に取り付けることができる。
【００１４】
これにより、太陽電池モジュールの各種の配列等に対して、新規部品を用意する必要がなく、取付部品（屋根側固定金具、前側取付金具、後側取付金具）を共通化することができ、部品点数を削減して、コストダウンを図ることができる。そして、取付部品の共通化により、施工の簡略化を図ることができ、統一した作業で太陽電池モジュールを屋根面に取り付けることができる。この結果、施工時間を大幅に短縮することができる。また、このように、太陽電池モジュールの取付構造を簡略化することにより、太陽電池モジュールが破損して交換を要する場合でも、複数の太陽電池モジュールを取り外すことなく、破損した太陽電池モジュールのみを新規のものと交換するだけでよい。
【００１５】
また、本発明の太陽電池モジュールの取付構造において、前記屋根側固定金具が所定の高さに形成され、該屋根側固定金具の上側の面に、前側取付金具および後側取付金具がそれぞれ連結されることを特徴とする。
【００１６】
このような太陽電池モジュールの取付構造によれば、屋根側固定金具の高さの分だけ、屋根面と太陽電池モジュールとの間に空間ができる。これにより、この空間に手を入れて作業を行うことができるようになり、施工時の作業性を向上させることができる。また、前側取付金具、後側取付金具が屋根面から浮いた状態で取り付けられるので、水等が屋根面上に滞留することを防止できる。さらに、太陽電池モジュール自重、風荷重、積雪荷重等が前側取付金具、後側取付金具を介して屋根面にかかるようにして、これらの荷重が屋根面に直接かかることを防止できる。
【００１７】
また、本発明の太陽電池モジュールの取付構造において、前記前側取付金具は、前記屋根側固定金具の上側の面に取り付けられる基部と、前記太陽電池モジュールの前側部分に取り付けられる傾斜部とを備え、該傾斜部は、前記基部に対して所定角度だけ傾けて形成されていることを特徴とする。
【００１８】
また、本発明の太陽電池モジュールの取付構造において、前記後側取付金具は、前記屋根側固定金具の上側の面に取り付けられる基部と、前記太陽電池モジュールの後側部分に取り付けられる傾斜部とを備え、該傾斜部は、接続部を介して基部と接続され、該基部に対して所定角度だけ傾けて形成されていることを特徴とする。
【００１９】
また、本発明の太陽電池モジュールの取付構造において、前記屋根側固定金具の上側の面、前記前側取付金具の基部、および前記後側取付金具の基部には、前後方向に長い長孔がそれぞれ形成されており、これらの長孔を利用して、前記屋根側固定金具と前側取付金具との取り付け、および前記屋根側固定金具と後側取付金具との取り付けが行われることを特徴とする。
【００２０】
このような太陽電池モジュールの取付構造によれば、各金具に形成された長孔を利用して取り付けが行われるため、施工性にある程度の自由度を持たせることができ、仮に、屋根側固定金具が予定通りの寸法になっていなかったり、屋根面への屋根側固定金具の取付位置が前後方向に僅かにずれていたとしても、取り付けを行うことができる。
【００２１】
また、本発明の太陽電池モジュールの取付構造において、前記屋根側固定金具は、屋根面に取り付けられる支持部材に固定されることを特徴とする。より具体的には、前記支持部材をアンカーボルトとしたことを特徴とする。
【００２２】
このような太陽電池モジュールの取付構造によれば、アンカーボルトを用いることにより、屋根側固定金具を屋根面へしっかりと固定することができる。
【００２３】
また、本発明の太陽電池モジュールの取付構造において、前記前側取付金具と、前記屋根側固定金具とが一体的に形成されていることを特徴とする。
【００２４】
このような太陽電池モジュールの取付構造によれば、一層の部品点数の削減を図ることができる。
【００２５】
また、本発明の太陽電池モジュールの取付構造において、前記後側取付金具と、前記屋根側固定金具とが一体的に形成されていることを特徴とする。
【００２６】
このような太陽電池モジュールの取付構造によれば、一層の部品点数の削減を図ることができる。
【００２７】
また、本発明の太陽電池モジュールの取付構造において、前後に隣り合う太陽電池モジュールそれぞれの前記屋根側固定金具同士が連結金具により連結されていることを特徴とする。より具体的には、前記連結金具は、前側の太陽電池モジュール用の後側取付金具を取り付けている屋根側固定金具と、後側の太陽電池モジュール用の前側取付金具を取り付けている屋根側固定金具とを連結することを特徴とする。
【００２８】
このような太陽電池モジュールの取付構造によれば、屋根面への太陽電池モジュールの取り付けの機械的強度を向上させることができる。
【００２９】
また、本発明の太陽電池モジュールの取付構造において、前記連結金具には、複数の太陽電池モジュールを電気的に接続するためのケーブルが固定されることを特徴とする。
【００３０】
このような太陽電池モジュールの取付構造によれば、太陽電池モジュールに取り付けられる出力ケーブルに直射日光が当たることを防止して、出力ケーブルの劣化を防ぐことができ、しかも、出力ケーブルを見栄えよく配線することができる。
【発明の効果】
【００３１】
本発明は、上述のような太陽電池モジュールの取付構造であるから、屋根面に設置される太陽電池モジュールの大きさや配列に応じて、屋根側固定金具、前側取付金具、後側取付金具を必要数だけ用意することで、太陽電池モジュールの各種の大きさや配列に対応できる。これにより、太陽電池モジュールの各種の配列等に対して、新規部品の用意を行う必要がなく、取付部品（屋根側固定金具、前側取付金具、後側取付金具）の共通化を行うことができ、部品点数を削減して、コストダウンを図ることができる。そして、取付部品の共通化により、施工の簡略化を図ることができ、統一した作業で太陽電池モジュールを屋根面に取り付けることができる。この結果、施工時間を大幅に短縮することができる。また、このような簡略化により、太陽電池モジュールが破損して交換を要する場合でも、複数の太陽電池モジュールを取り外すことなく、破損した太陽電池モジュールのみの交換を容易に行うことができる。
【発明を実施するための最良の形態】
【００３２】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００３３】
図１は、本発明を適用する太陽電池モジュールの取付構造の一実施形態を示す図である。以下では、傾斜のほとんどない屋根面で構成される陸屋根面に太陽電池モジュールを取り付ける取付構造について説明する。ただし、傾斜した屋根面で構成される勾配屋根に適用することも可能である。
【００３４】
図１に示すように、建物上に設置された陸屋根面上に屋根側固定金具２０が取り付けられ、屋根側固定金具２０に前側取付金具３０および後側取付金具４０がそれぞれ連結され、前側取付金具３０および後側取付金具４０に太陽電池モジュール１０が取り付けられている。このように、太陽電池モジュール１０は、屋根側固定金具２０、前側取付金具３０および後側取付金具４０を用いて、陸屋根面に取り付けられている。また、太陽電池モジュール１０は、例えば南向きに適当な傾斜を持たせて陸屋根面に設置されている。なお、便宜上、図１に示すように、傾斜した太陽電池モジュール１０と水平面が交わる線に沿った方向を左右方向とし、図１に示すように左と右を決定する。また、この左右方向と水平面内で直交する方向を前後方向とし、図１や図１０に示すように前と後を決定する。
【００３５】
図２〜図５に示すように、太陽電池モジュール１０は、光エネルギーを電気エネルギーに変換するためのモジュール本体１１と、モジュール本体１１を保持するモジュールフレーム１２とを備えている。モジュール本体１１は、例えばスーパーストレート構造として形成され、単結晶または多結晶太陽電池セルが、ガラスと耐候性フィルムとの間に樹脂を介してサンドウィッチ状に封止されて形成されている。なお、モジュール本体１１を、ガラス部分に透明フィルムを使用したサブストレート構造として形成してもよい。また、太陽電池セルはアモルファス系や結晶シート型であってもよい。
【００３６】
太陽光発電システムとして必要な発電量を得るためには、複数の太陽電池モジュール１０を電気的に接続して、負荷へ発電電力を供給する必要がある。複数の太陽電池モジュール１０を接続するために、モジュール本体１１の裏面側（反受光面側）には、端子ボックス１７と、プラス（＋）とマイナス（−）の各出力ケーブル１８，１９とが取り付けられている。隣接する太陽電池モジュール１０，１０を接続するには、一方の太陽電池モジュール１０のプラスの出力ケーブル１８と、他方の太陽電池モジュール１０のマイナスの出力ケーブル１９とを接続する。プラスとマイナスの各出力ケーブル１８，１９は、一定強度があり劣化の少ない結束バンドを用いて、後述する後側取付金具４０に固定するか、あるいは、図１２に示すようなケーブル支持材６４を用いて、モジュールフレーム１２に固定する。
【００３７】
モジュールフレーム１２は、前側の前側フレーム１３、後側の後側フレーム１４、左側の左側フレーム１５、右側の右側フレーム１６で形成されている。モジュールフレーム１２は、アルミニウムの押し出し成型品、または鉄板のロール成型やプレス成型品等として形成されている。このようなモジュールフレーム１２によりモジュール本体１１の周縁部を囲って、モジュール本体１１を保持するようにしている。
【００３８】
上記のような構成の太陽電池モジュール１０を、屋根側固定金具２０と、前側取付金具３０と、後側取付金具４０とを介して、陸屋根面に取り付けるようにしている。続いて、屋根側固定金具２０、前側取付金具３０、後側取付金具４０について詳しく説明する。
【００３９】
まず、屋根側固定金具２０について説明する。
【００４０】
図６に示すように、陸屋根には、複数のアンカーボルト５０が屋根側固定金具２０を固定するための支持部材として設けられている。アンカーボルト５０を、後述する屋根側固定金具２０の孔２３に挿入して、ナット等を用いて固定する。アンカーボルト５０を用いることにより、屋根側固定金具２０を陸屋根面へしっかりと固定することができる。このように、アンカーボルト５０と屋根側固定金具２０を陸屋根面に配置し、平面視で方形の太陽電池モジュール１０の四隅の部分を固定するようにしている。なお、後述するように、アンカーボルト５０を用いずに、屋根側固定金具２０を接着剤等で陸屋根面に固定する場合には、この屋根側固定金具２０を固定する部分にはアンカーボルト５０を設けないようにする。
【００４１】
図７に示すように、屋根側固定金具２０は、陸屋根面に載置される略方形状の載置片（陸屋根載置面２１）の左右両端縁部に、下向きコ字状に屈曲形成された取付金具載置部がそれぞれ連接された二山形状に形成されている。陸屋根面には、アンカーボルト５０が挿入される孔２３が形成されている。屋根側固定金具２０の各取付金具載置面２２は、陸屋根載置面２１と平行に形成されており、各取付金具載置面２２には、それぞれ長孔２４が形成されている。各長孔２４は、前後方向に長く形成されている。そして、屋根側固定金具２０は、高さｈ１に形成されている。屋根側固定金具２０の高さｈ１を変更することによって、陸屋根面と、陸屋根面に設置する太陽電池モジュール１０との間隔を適宜変更することができる。また、一方の側面２５（図７では、右側面）にも長孔２６が形成されており、長孔２６は、前後方向に長く形成されている。
【００４２】
次に、前側取付金具３０について説明する。
【００４３】
前側取付金具３０は、太陽電池モジュール１０の前側部分に取り付けられる金具である（図１）。図８に示すように、前側取付金具３０は、屋根側固定金具２０の各取付金具載置面２２（上側の面）と接する基部３１と、太陽電池モジュール１０の前側部分と接する傾斜部３２とを備えている。傾斜部３２は、基部３１に対して角度αだけ傾けて形成されている。
【００４４】
また、基部３１には、長孔３３が２つ形成されており、これらの長孔３３は、前後方向に長く形成されている。２つの長孔３３の左右方向の間隔は、上述した屋根側固定金具２０の各取付金具載置面２２にそれぞれ形成される長孔２４の左右方向の間隔と略一致している。なお、図８では、傾斜部３２にボルト３５を取り付けた状態を示している。ボルト３５は、後述するように、前側取付金具３０に太陽電池モジュール１０の前側フレーム１３を取り付ける際に用いられる。
【００４５】
次に、後側取付金具４０について説明する。
【００４６】
後側取付金具４０は、太陽電池モジュール１０の後側部分に取り付けられる金具である（図１）。図９に示すように、後側取付金具４０は、屋根側固定金具２０の各取付金具載置面２２（上側の面）と接する基部４１と、太陽電池モジュール１０の後側部分と接する傾斜部４２と、基部４１と傾斜部４２とを接続する接続部４３とを備えている。傾斜部４２は、基部４１に対して角度βだけ傾けて形成されている。傾斜部４２の傾斜角度βは、上述した前側取付金具３０の傾斜部３２の傾斜角度αと等しくなっている。接続部４３は、基部４１に対して略垂直に設けられており、高さｈ２に形成されている。接続部４３の高さｈ２を変更することによって、陸屋根面に設置する太陽電池モジュール１０の傾斜角度を適宜変更することができる。
【００４７】
また、基部４１には、長孔４４が２つ形成されており、これらの長孔４４は、前後方向に長く形成されている。２つの長孔４４の左右方向の間隔は、上述した屋根側固定金具２０の各取付金具載置面２２にそれぞれ形成される長孔２４の左右方向の間隔と略一致している。なお、図９では、傾斜部４２にボルト４５を取り付けた状態を示している。ボルト４５は、後述するように、後側取付金具４０に太陽電池モジュール１０の後側フレーム１４を取り付ける際に用いられる。
【００４８】
以上のような構成の屋根側固定金具２０、前側取付金具３０、後側取付金具４０を用いて、太陽電池モジュール１０が陸屋根面に取り付けられる。続いて、太陽電池モジュール１０の陸屋根面への取り付けについて説明する。なお、以下では、２つの太陽電池モジュール１０ａ，１０ｂを前後に隣り合わせて設置する場合について、図１、図１０を用いて説明する。図１０では、前側の太陽電池モジュールを１０ａと表し、後側の太陽電池モジュールを１０ｂと表している。
【００４９】
まず、前側の太陽電池モジュール１０ａ用の前側取付金具３０および後側取付金具４０を取り付けるための屋根側固定金具２０をアンカーボルト５０に固定する。また、後側の太陽電池モジュール１０ｂ用の後側取付金具４０を取り付けるための屋根側固定金具２０をアンカーボルト５０に固定する。このとき、アンカーボルト５０は、屋根側固定金具２０の孔２３に挿入され、ナット等を用いて固定される。
【００５０】
一方、後側の太陽電池モジュール１０ｂ用の前側取付金具３０を取り付けるための屋根側固定金具２０は、アンカーボルト５０を用いずに、例えば、接着剤等で陸屋根面に固定される。こうして、陸屋根に設けるアンカーボルト５０の本数を少なくすることができる。このような屋根側固定金具２０の取り付け時に、陸屋根面の防水工事を行ってもよい。防水工事は、防水シートや防水シール、防水ナット等を用いて行われる。なお、陸屋根面の防水工事は、屋根工事の際に行うようにしてもよい。ただし、後側の太陽電池モジュール１０ｂ用の前側取付金具３０を取り付けるための屋根側固定金具２０を、アンカーボルト５０を用いて固定するようにしてもよい。
【００５１】
次に、固定された各屋根側固定金具２０にそれぞれ前側取付金具３０、後側取付金具４０をボルトにて固定する。このとき、屋根側固定金具２０の取付金具載置面２２に形成された長孔２４と、前側取付金具３０の基部３１に形成された長孔３３の位置合わせをして、ボルトにて固定する。また同様に、屋根側固定金具２０の取付金具載置面２２に形成された長孔２４と、後側取付金具４０の基部４１に形成された長孔４４の位置合わせをして、ボルトにて固定する。この場合、各金具２０，３０，４０に形成された長孔２４，３３，４４を利用して取り付けが行われるため、施工性にある程度の自由度を持たせることができ、仮に、屋根側固定金具２０が予定通りの寸法になっていなかったり、陸屋根面への屋根側固定金具２０の取付位置が前後方向に僅かにずれていたとしても、取り付けを行うことができる。したがって、陸屋根面へ屋根側固定金具２０（アンカーボルト５０）を取り付ける際には、左右方向の位置のみずれないように注意して取り付けるようにする。
【００５２】
続いて、図１に示すように、前側の太陽電池モジュール１０ａ用の後側取付金具４０を取り付けている屋根側固定金具２０と、後側の太陽電池モジュール１０ｂ用の前側取付金具３０を取り付けている屋根側固定金具２０とを、配線金具６０を用いて連結する。配線金具６０は、前後に隣り合う太陽電池モジュール１０ａ，１０ｂの屋根側固定金具２０，２０同士を連結するための補強用の連結具である。配線金具６０は、図１１、図１２に示すように、正面視で逆Ｌ字状の前後方向に細長い金具本体６１に、側方（図１１では左方）に突出するケーブル支持板６２が設けられて形成されている。また、金具本体６１の前端には、後述する係止部６３が設けられ、金具本体６１の後端部には、図示しない孔が設けられている。配線金具６０の前後方向の長さは、前側の太陽電池モジュール１０ａ用の後側取付金具４０を取り付けている屋根側固定金具２０と、後側の太陽電池モジュール１０ｂ用の前側取付金具３０を取り付けている屋根側固定金具２０との距離に応じて適宜変更される。なお、金具本体６１の後端部に設けられる孔を、前後方向に長い長孔としてもよい。
【００５３】
このような配線金具６０の係止部６３が、前側の太陽電池モジュール１０ａ用の後側取付金具４０を取り付けている屋根側固定金具２０の前端面に引っ掛けられて係止されるとともに、配線金具６０の後端部が、後側の太陽電池モジュール１０ｂ用の前側取付金具３０を取り付けている屋根側固定金具２０にボルトにて固定される。ボルト固定の際、金具本体６１の後端部に設けられる孔と、屋根側固定金具２０の側面２５に設けられる長孔２６が利用される。
【００５４】
このように、配線金具６０により前後に隣り合う太陽電池モジュール１０ａ，１０ｂの屋根側固定金具２０，２０同士を連結することによって、陸屋根に取り付けるアンカーボルト５０の本数を少なくしても（後側の太陽電池モジュール１０ｂ用の前側取付金具３０を取り付けるための屋根側固定金具２０を接着剤等で固定したとしても）、機械的強度を確保することができる。また、前後に隣り合う太陽電池モジュール１０ａ，１０ｂを、上述した出力ケーブル１８，１９により接続する場合には、配線金具６０のケーブル支持板６２に取り付けられたケーブル支持材６４を用いて、出力ケーブル１８，１９を配線金具６０に固定するようにする。この配線金具６０により、出力ケーブル１８，１９に直射日光が当たることを防止して、出力ケーブル１８，１９の劣化を防ぐことができ、しかも、出力ケーブル１８，１９を見栄えよく配線することができる。
【００５５】
次に、太陽電池モジュール１０ａ（太陽電池モジュール１０ｂも同様）を、前側取付金具３０および後側取付金具４０に取り付ける。太陽電池モジュール１０ａと前側取付金具３０との固定には、太陽電池モジュール１０ａの前側フレーム１３に形成されている孔が利用される。このとき、前側取付金具３０の傾斜部３２には、前側フレーム１３に形成されている孔のサイズに応じた寸法のボルト３５を予め取り付けておく。同様に、太陽電池モジュール１０ａと後側取付金具４０との固定には、太陽電池モジュール１０ａの後側フレーム１４に形成されている孔が利用される。後側取付金具４０の傾斜部４２には、後側フレーム１４に形成されている孔のサイズに応じた寸法のボルト４５を予め取り付けておく。
【００５６】
以上のようにして、太陽電池モジュール１０を陸屋根面へ取り付けることによって、上述した利点に加えて、次のような利点がある。
【００５７】
陸屋根面に設置する太陽電池モジュール１０には、大きさや配列がいろいろ考えられる。図７、図８、図９に示すような屋根側固定金具２０、前側取付金具３０、後側取付金具４０を、太陽電池モジュール１０の大きさや配列に応じて必要数だけ用意することで、太陽電池モジュール１０の各種の大きさや配列に対応できる。つまり、屋根側固定金具２０、前側取付金具３０、後側取付金具４０を用いれば、陸屋根面に設置する太陽電池モジュール１０の大きさや配列が異なる場合であっても、太陽電池モジュール１０を陸屋根面に取り付けることができる。
【００５８】
これにより、太陽電池モジュール１０の各種の配列等に対して、新規部品を用意する必要がなく、取付部品（屋根側固定金具２０、前側取付金具３０、後側取付金具４０）を共通化することができ、部品点数を削減して、コストダウンを図ることができる。そして、取付部品の共通化により、施工の簡略化を図ることができ、統一した作業で太陽電池モジュール１０を陸屋根面に取り付けることができる。この結果、施工時間を大幅に短縮することができる。なお、この例では、１つの太陽電池モジュール１０につき、屋根側固定金具２０を４つ、前側取付金具３０と後側取付金具４０とを合わせて４つ用いているが、必要に応じて４つ以上用いてもよい。
【００５９】
このように、太陽電池モジュール１０の取付構造を簡略化することにより、太陽電池モジュール１０が破損して交換を要する場合でも、複数の太陽電池モジュール１０を取り外すことなく、破損した太陽電池モジュール１０のみを新規のものと交換するだけでよい。この場合、破損した太陽電池モジュール１０に接続されている出力ケーブル１８（１９）を外し、前側取付金具３０と後側取付金具４０とから破損した太陽電池モジュール１０を取り外し、新たな太陽電池モジュール１０を前側取付金具３０と後側取付金具４０とに取り付け、出力ケーブル１８（１９）を接続すればよい。このように、破損した太陽電池モジュール１０の交換を容易に行うことができる。
【００６０】
上述したように、屋根側固定金具２０の高さｈ１の分だけ、陸屋根面と太陽電池モジュール１０との間に空間ができる。これにより、この空間に手を入れて作業を行うことができるようになり、施工時の作業性を向上させることができる。また、前側取付金具３０、後側取付金具４０が陸屋根面から浮いた状態で取り付けられるので、水等が陸屋根面上に滞留することを防止できる。さらに、太陽電池モジュール１０自重、風荷重、積雪荷重等が前側取付金具３０、後側取付金具４０を介して陸屋根面にかかるようにして、これらの荷重が陸屋根面に直接かかることを防止している。
【００６１】
上述の例では、屋根側固定金具２０と前側取付金具３０とを別体としているが、屋根側固定金具２０と前側取付金具３０とを一体化した部品を用いてもよい。また、屋根側固定金具２０と後側取付金具４０とを別体としているが、屋根側固定金具２０と後側取付金具４０とを一体化した部品を用いてもよい。これにより、一層の部品点数の削減を図ることができる。また、太陽電池モジュール１０ａ，１０ｂを前後に隣り合わせて設置する場合に（図１０）、後側の太陽電池モジュール１０ｂ用の前側取付金具３０を取り付けるための屋根側固定金具２０を、アンカーボルト５０を用いずに、接着剤等で陸屋根面に固定するようにしているが、前側の太陽電池モジュール１０ａ用の後側取付金具４０を取り付けるための屋根側固定金具２０を、アンカーボルト５０を用いずに、接着剤等で陸屋根面に固定してもよい。
【図面の簡単な説明】
【００６２】
【図１】本発明を適用する太陽電池モジュールの取付構造の一実施形態を示す斜視図である。
【図２】太陽電池モジュールの平面図である。
【図３】太陽電池モジュールの正面図である。
【図４】太陽電池モジュールの側面図である。
【図５】太陽電池モジュールの底面図である。
【図６】陸屋根面におけるアンカーボルト、屋根側固定金具、太陽電池モジュールの配置を示す図である。
【図７】屋根側固定金具の斜視図である。
【図８】前側取付金具の斜視図である。
【図９】後側取付金具の斜視図である。
【図１０】前後に隣り合う太陽電池モジュールの陸屋根面への取り付けを示す側面断面図である。
【図１１】配線金具の斜視図である。
【図１２】配線金具に出力ケーブルを固定した状態を示す正面断面図である。
【符号の説明】
【００６３】
１０  太陽電池モジュール
２０  屋根側固定金具
３０  前側取付金具
４０  後側取付金具
５０  アンカーボルト
６０  配線金具
【図１】
2006016790.tif 000003
【図２】
2006016790.tif 000004
【図３】
2006016790.tif 000005
【図４】
2006016790.tif 000006
【図５】
2006016790.tif 000007
【図６】
2006016790.tif 000008
【図７】
2006016790.tif 000009
【図８】
2006016790.tif 000010
【図９】
2006016790.tif 000011
【図１０】
2006016790.tif 000012
【図１１】
2006016790.tif 000013
【図１２】
2006016790.tif 000014